【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】圧縮ビデオストリームを処理する方法において、前記圧縮ビデオストリームは複数の離散コサイン変換（ＤＣＴ）符号化ブロックにより表され、前記方法が、
前記圧縮ビデオストリームのＤＣＴ符号化ブロックがフィールド型ＤＣＴ符号化ブロックである場合に、前記ＤＣＴ符号化ブロックを処理するためにフィールド型の復号処理及びフィルタ処理／スケール処理方法が使用されるべきであると判定するか、又は
前記圧縮ビデオストリームのＤＣＴ符号化ブロックがフレーム型ＤＣＴ符号化ブロックである場合に、前記圧縮ビデオストリームにおける前記ＤＣＴ符号化ブロックの垂直高周波数のエネルギを表す第１絶対値を求め、
前記第１絶対値を所定の第１基準値と比較し、
（ａ）前記第１絶対値が前記所定の第１基準値以下である場合に、前記ＤＣＴ符号化ブロックを処理するためにフレーム型の復号処理及びフィルタ処理／スケール処理方法が使用されるべきと判定するか、又は
（ｂ）前記第１絶対値が前記所定の第１基準値より大きい場合に、前記圧縮ビデオストリームにおける前記ＤＣＴ符号化ブロックの垂直中間周波数のエネルギを表す第２絶対値を求め、
垂直中間周波数のエネルギを表す前記第２絶対値が第２の所定基準値と比較されるような第２比較を実行し、
（ｉ）前記垂直中間周波数のエネルギを表す前記第２絶対値が前記第２の所定基準値未満である場合に、前記ＤＣＴ符号化ブロックを処理するためにフレーム型の復号処理及びフィールド型のフィルタ処理／スケール処理方法が使用されるべきと判定するか、又は
（ii）前記垂直中間周波数のエネルギを表す前記第２絶対値が前記第２の所定基準値以上である場合に、前記ＤＣＴ符号化ブロックを処理するためにフレーム型の復号処理及びフィルタ処理／スケール処理方法が使用されるべきと判定する、
ことを特徴とする方法。
【請求項２】請求項１に記載の方法において、前記ビデオストリームは複数のＤＣＴ符号化ブロックを含み、ＤＣＴ符号化ブロックの左下領域の絶対値が前記圧縮ビデオストリームにおける前記ＤＣＴ符号化ブロックの垂直高周波数のエネルギを表す前記第１絶対値として使用され、ＤＣＴ符号化ブロックの左中領域の絶対値が前記圧縮ビデオストリームにおける前記ＤＣＴ符号化ブロックの垂直中間周波数のエネルギを表す前記第２絶対値として使用されることを特徴とする方法。
【請求項３】請求項１に記載の方法において、前記圧縮ビデオストリームの前記処理が、復号ループ内で実行されるフレーム型又はフィールド型スケール処理を動的に選択する組込リサイズ処理を含んでいることを特徴とする方法。
【請求項４】請求項１に記載の方法において、前記圧縮ビデオストリームの前記処理が、前記フレーム型のＤＣＴ符号化ブロックのフィールド毎のフィルタ処理及びスケール処理を含んでいることを特徴とする方法。
【請求項５】圧縮ビデオストリームの領域がインターレースされた動き領域であるかを検出する方法において、圧縮ビデオストリームの前記領域は複数のフレームＤＣＴ符号化ブロックにより表され、前記方法が、
前記圧縮ビデオストリームのＤＣＴ符号化ブロックを求め、
前記圧縮ビデオストリームにおける前記ＤＣＴ符号化ブロックの垂直高周波数のエネルギを表す第１絶対値を求め、
前記第１絶対値を所定の第１基準値と比較し、
（ａ）前記第１絶対値が前記所定の第１基準値以下である場合に、前記ＤＣＴ符号化ブロックにより表される前記圧縮ビデオストリームの領域がインターレースされた動き領域ではないと判定するか、又は
（ｂ）前記第１絶対値が前記所定の第１基準値より大きい場合に、前記圧縮ビデオストリームにおける前記ＤＣＴ符号化ブロックの垂直中間周波数のエネルギを表す第２絶対値を求め、
前記垂直中間周波数のエネルギを表す前記第２絶対値が第２の所定基準値と比較されるような第２比較を実行し、
（ｉ）前記垂直中間周波数のエネルギを表す前記第２絶対値が前記第２の所定基準値未満である場合に、前記ＤＣＴ符号化ブロックにより表される前記圧縮ビデオストリームの領域がインターレースされた動き領域であると判定するか、又は
（ii）前記垂直中間周波数のエネルギを表す前記第２絶対値が前記第２の所定基準値以上である場合に、前記ＤＣＴ符号化ブロックにより表される前記圧縮ビデオストリームの領域がインターレースされた動き領域ではないと判定する、
ことを特徴とする方法。
【請求項６】請求項５に記載の方法において、前記ビデオストリームは複数のＤＣＴ符号化ブロックを含み、ＤＣＴ符号化ブロックの左下領域の絶対値が前記圧縮ビデオストリームにおける前記ＤＣＴ符号化ブロックの垂直高周波数のエネルギを表す前記第１絶対値として使用され、ＤＣＴ符号化ブロックの左中領域の絶対値が前記圧縮ビデオストリームにおける前記ＤＣＴ符号化ブロックの垂直中間周波数のエネルギを表す前記第２絶対値として使用されることを特徴とする方法。
【請求項７】圧縮ビデオストリームを処理するシステムにおいて、前記圧縮ビデオストリームは複数のＤＣＴ符号化ブロックにより表され、前記システムが、
前記圧縮ビデオストリームのビデオ信号源と、
前記ビデオ信号源に動作的に結合されたプロセッサ、及びビデオ出力手段と、
を有し、前記プロセッサが、
前記圧縮ビデオストリームからＤＣＴ符号化ブロックを得、
前記ＤＣＴ符号化ブロックがフィールド型ＤＣＴ符号化ブロックである場合を判定すると共に、該ＤＣＴ符号化ブロックにフィールド型の復号処理及びフィルタ処理／スケール処理を適用するか、又は
前記ＤＣＴ符号化ブロックがフレーム型ＤＣＴ符号化ブロックである場合に、該ＤＣＴ符号化ブロックの垂直高周波数のエネルギの第１絶対値を求め、
前記垂直高周波数のエネルギの前記第１絶対値を所定の第１基準値と比較し、
（ａ）前記第１絶対値が前記所定の第１基準値以下である場合に、前記ＤＣＴ符号化ブロックにフレーム型の復号処理及びフィルタ処理／スケール処理を適用するか、又は
（ｂ）前記第１絶対値が前記所定の第１基準値より大きい場合に、前記圧縮ビデオストリームにおける前記ＤＣＴ符号化ブロックの垂直中間周波数のエネルギを表す第２絶対値を求め、
垂直中間周波数のエネルギを表す前記第２絶対値が第２の所定基準値と比較されるような第２比較を実行し、
（ｉ）前記垂直中間周波数のエネルギを表す前記第２絶対値が前記第２の所定基準値未満である場合に、前記ＤＣＴ符号化ブロックにフレーム型の復号処理及びフィールド型のフィルタ処理／スケール処理を適用するか、又は
（ii）前記垂直中間周波数のエネルギを表す前記第２絶対値が前記第２の所定基準値以上である場合に、前記ＤＣＴ符号化ブロックにフレーム型の復号処理及びフィルタ処理／スケール処理を適用し、
処理されたビデオを前記ビデオ出力手段に供給する、
ように構成されていることを特徴とするシステム。
【請求項８】請求項７に記載のシステムにおいて、前記圧縮ビデオストリームは複数のＤＣＴ符号化ブロックを含み、ＤＣＴ符号化ブロックの左下領域の絶対値が垂直高周波数のエネルギを表す前記第１絶対値として使用され、ＤＣＴ符号化ブロックの左中領域の絶対値が垂直中間周波数のエネルギを表す前記第２絶対値として使用されることを特徴とするシステム。
【請求項９】請求項７に記載のシステムにおいて、前記ビデオ信号源がコンピュータ読み取り可能なメモリであることを特徴とするシステム。
【請求項１０】請求項７に記載のシステムにおいて、前記ビデオ出力手段がコンピュータ読み取り可能なメモリであることを特徴とするシステム。
【請求項１１】請求項７に記載のシステムにおいて、前記圧縮ビデオストリームの処理が、前記フレームＤＣＴブロックのフィールド毎のフィルタ処理及びスケール処理を含んでいることを特徴とするシステム。
【請求項１２】圧縮ビデオストリームの或る領域がインターレースされた動き領域であるかを検出するシステムにおいて、前記ビデオストリームは複数のＤＣＴ符号化ブロックにより表され、前記システムが、
前記圧縮ビデオストリームのビデオ信号源と、
前記ビデオ信号源に動作的に結合されたプロセッサ、及び論理出力端と、
を有し、前記プロセッサが、
前記圧縮ビデオストリームからＤＣＴ符号化ブロックを求め、
前記ＤＣＴ符号化ブロックにおける前記或る領域の垂直高周波数のエネルギの第１絶対値を求め、
前記垂直高周波数のエネルギの第１絶対値を所定の第１基準値と比較し、
（ａ）前記第１絶対値が前記所定の第１基準値以下である場合に、前記ＤＣＴ符号化ブロックが前記圧縮ビデオのインターレースされた動き領域を表さないと判定すると共に、これを示すために前記論理出力端を偽の値に設定するか、又は
（ｂ）前記第１絶対値が前記所定の第１基準値より大きい場合に、前記圧縮ビデオストリームにおける前記ＤＣＴ符号化ブロックの垂直中間周波数のエネルギを表す第２絶対値を求め、
前記垂直中間周波数のエネルギを表す前記第２絶対値が第２の所定基準値と比較されるような第２比較を実行し、
（ｉ）前記垂直中間周波数のエネルギを表す前記第２絶対値が前記第２の所定基準値未満である場合に、前記ＤＣＴ符号化ブロックが前記圧縮ビデオのインターレースされた動き領域を表すと判定すると共に、これを示すために前記論理出力端を真の値に設定するか、又は
（ii）前記垂直中間周波数のエネルギを表す前記第２絶対値が前記第２の所定基準値以上である場合に、前記ＤＣＴ符号化ブロックが前記圧縮ビデオのインターレースされた動き領域を表さないと判定すると共に、これを示すために前記論理出力端を偽の値に設定する、
ように構成されていることを特徴とするシステム。
【請求項１３】請求項１２に記載のシステムにおいて、前記ビデオストリームは複数のＤＣＴ符号化ブロックを含み、ＤＣＴ符号化ブロックの左下領域の絶対値が前記垂直高周波数のエネルギを表す前記第１絶対値として使用され、ＤＣＴ符号化ブロックの左中領域の絶対値が前記垂直中間周波数のエネルギを表す前記第２絶対値として使用されることを特徴とするシステム。
【請求項１４】請求項１２に記載のシステムにおいて、前記ビデオ信号源がコンピュータ読み取り可能なメモリであることを特徴とするシステム。